【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
釣竿に装着可能であり、釣糸を前方に繰り出す両軸受リールであって、
リール本体と、
前記リール本体に回転可能に設けられた糸巻用のスプールと、
前記リール本体の側部に回転可能に設けられたハンドルと、
前記釣糸を前記スプールに均一に巻き付けるためのレベルワインド機構と、
を備え、
前記レベルワインド機構は、
螺旋状溝を有するウォームシャフトと、
前記ウォームシャフトの外周側に配置され、前記ウォームシャフトの長手方向に延びる開口部と、少なくとも１つの水抜き孔と、を有する案内部材と、
前記螺旋状溝に係合して、前記案内部材に沿って摺動する摺動部材と、
を有する、
両軸受リール。
【請求項２】
前記開口部は、前記釣竿に前記リール本体を装着したとき、前記釣糸を繰り出す方向に開口している、請求項１に記載の両軸受リール。
【請求項３】
前記水抜き孔は前記開口部と対向する位置に設けられている、請求項２に記載の両軸受リール。
【請求項４】
前記水抜き孔は少なくとも前記ハンドルに近接する位置に設けられている、請求項１から３のいずれか１項に記載の両軸受リール。
【請求項５】
前記水抜き孔は複数設けられている、請求項1から４のいずれか１項に記載の両軸受リール。
【請求項６】
前記水抜き孔は前記ウォームシャフトの長手方向に延びている、請求項１から５のいずれか１項に記載の両軸受リール。
【手続補正２】
【補正対象書類名】明細書
【補正対象項目名】全文
【補正方法】変更
【補正の内容】
【発明の詳細な説明】
【発明の名称】両軸受リール
【技術分野】
【０００１】
本発明は、レベルワインド機構を備えた両軸受リールに関する。
【背景技術】
【０００２】
特許文献１に示すように、両軸受リールは、スプールに釣糸を均一に巻くためのレベルワインド機構を備えている。レベルワインド機構は、ウォームシャフトと、案内部材と、摺動部材と、を備えている。案内部材はウォームシャフトの外周側に配置され、ウォームシャフトは案内部材内を延びている。ウォームシャフトが回転することによって、摺動部材は案内部材に沿って往復移動する。
【先行技術文献】
【特許文献】
【０００３】
【特許文献１】特開２０１３−２４３９９７号公報
【発明の概要】
【発明が解決しようとする課題】
【０００４】
案内部材には、ウォームシャフトの螺旋溝を露出させるために、軸方向に延びる長孔が形成されている。この長孔から案内部材の内部に海水等が侵入すると、案内部材の内部に水が溜まってしまう。溜まった水は、ウォームシャフトを伝ってリール本体内の回転伝達機構などに侵入する恐れがある。
【０００５】
本発明の課題は、レベルワインド機構からリール本体の内部への海水等の浸入を抑えることにある。
【課題を解決するための手段】
【０００６】
本発明の一側面に係る両軸受リールは、釣竿に装着可能であり、釣糸を前方に繰り出す両軸受リールであって、リール本体と、糸巻用のスプールと、ハンドルと、レベルワインド機構と、を備えている。糸巻用のスプールは、リール本体に回転可能に設けられている。ハンドルは、リール本体の側部に回転可能に設けられている。レベルワインド機構は、釣糸をスプールに均一に巻き付ける。レベルワインド機構は、螺旋状溝を有するウォームシャフトと、案内部材と、摺動部材と、を有している。案内部材は、ウォームシャフトの外周側に配置され、ウォームシャフトの長手方向に延びる開口部と、少なくとも１つの水抜き孔と、を有している。摺動部材は、螺旋状溝に係合して、案内部材に沿って摺動する。
【０００７】
この両軸受リールでは、レベルワインド機構の案内部材に、少なくとも１つの水抜き孔が設けられている。このため、開口部から海水等（以下、単に「水」と記す）が侵入しても、水抜き孔から水を外部に排出することができる。これにより、レベルワインド機構からリール本体の内部への水の浸入を抑えることができる。
【０００８】
好ましくは、開口部は、釣竿にリール本体を装着したとき、釣糸を繰り出す方向に開口している。
【０００９】
好ましくは、水抜き孔は、開口部と対向する位置に設けられている。この場合は、釣竿をリール本体に装着した状態で立て掛けたとき、水抜き孔が下を向く。このため、開口部から水が浸入しても、釣竿を立て掛けた状態のときに容易に水抜き孔から水を外部に排出することができる。
【００１０】
好ましくは、水抜き孔は、少なくともハンドルに近接する位置に設けられている。この場合は、ウォームシャフトを伝ってリール本体内の回転伝達機構などに水が侵入するのを抑えることができる。
【００１１】
好ましくは、水抜き孔が複数設けられている。この場合は、さらに容易に水抜き孔から水を外部に排出することができる。
【００１２】
好ましくは、水抜き孔は前記ウォームシャフトの長手方向に延びている。
【発明の効果】
【００１３】
本発明によれば、レベルワインド機構からリール本体の内部への水の浸入を抑えることができる。
【図面の簡単な説明】
【００１４】
【図１】両軸受リールの斜視図。
【図２】両軸受リールの断面図。
【図３】レベルワインド機構の分解斜視図。
【図４】開口部を上に向けたときの案内部材の平面図。
【図５】水抜き孔の変形例を示した図４に相当する図。
【発明を実施するための形態】
【００１５】
図１及び図２は、本発明の一実施形態が採用された両軸受リール１００の斜視図及び断面図である。両軸受リール１００は、リール本体１と、スプール２と、ハンドル３と、回転伝達機構４と、レベルワインド機構５と、を備えている。
【００１６】
リール本体１は、フレーム６と、フレーム６の両側を覆うように装着された第１側カバー７及び第２側カバー８と、フレーム６の前方に装着された前カバー（図示しない）と、を有している。
【００１７】
フレーム６は、図３に示すように所定の間隔をあけて互いに対向するように配置された第１側板６ａ及び第２側板６ｂと、第１側板６ａと第２側板６ｂとを連結する複数の連結部６ｃと、装着部６ｄと、を有している。
【００１８】
第１側板６ａは、スプール２の取り出し用の円形の開口６ｅが形成された概ね板状の部材である。第２側板６ｂには、回転伝達機構４（図２参照）が支持されている。装着部６ｄは、前後方向に延びており、装着部６ｄの下面側には釣竿が装着される。
【００１９】
スプール２は、図２に示すように、第１側板６ａと第２側板６ｂとの間に配置されている。スプール２の外周面には釣糸が巻き付けられる。スプール２は、スプール２の中央を貫通するスプール軸９に固定されて、スプール軸９と一体的に回転する。スプール軸９の両端は、第１側カバー７及び第２側カバー８のボス部７ａ，８ａに配置された軸受部材１０ａ，１０ｂにより、リール本体１に対して回転自在に支持されている。
【００２０】
ハンドル３は、第２側カバー８の側部に回転可能に装着されている。ハンドル３を回転操作することによって、回転伝達機構４を介してスプール２及びレベルワインド機構５が駆動される。
【００２１】
回転伝達機構４は、図２に示すように、駆動軸１１と、駆動ギア１２と、筒状のピニオンギア１３と、第１ギア１４と、第２ギア１５と、を有している。回転伝達機構４は、ハンドル３の回転をスプール２及びレベルワインド機構５に伝達する機構である。回転伝達機構４は、第２側カバー８内に配置されている。
【００２２】
駆動軸１１は、ハンドル３と連結されており、ハンドル３と一体的に回転する。なお、駆動軸１１は、駆動軸１１の外周に配置されるワンウェイクラッチ１６によって、釣糸繰り出し方向への回転が禁止されている。
【００２３】
駆動ギア１２は、駆動軸１１に装着され、駆動軸１１と一体的に回転する。
【００２４】
ピニオンギア１３は、駆動ギア１２にかみ合う。第１ギア１４は、駆動軸１１に装着され、駆動軸１１と一体的に回転する。第２ギア１５は、第１ギア１４に噛み合う。
【００２５】
レベルワインド機構５は、図２及び図３に示すように、ウォームシャフト１７と、案内部材１８と、ガイド軸１９と、摺動部材２０と、を有している。レベルワインド機構５は、釣糸をスプール２上に均一に巻き付けるために軸方向に往復移動する機構である。レベルワインド機構５は、第１側カバー７と第２側カバー８との間に設けられるとともに、スプール２の前方に配置されている。
【００２６】
ウォームシャフト１７は、円柱状に形成されており、外周面に螺旋状溝１７ａを有している。ウォームシャフト１７は、スプール軸９に対して平行に延びている。また、ウォームシャフト１７は、第１側カバー７と第２側カバー８との間を延びている。
【００２７】
ウォームシャフト１７の第１端部は、第１側カバー７に回転可能に支持されている。ウォームシャフト１７の第１端部は、軸受部材を介して、第１側カバー７に支持されていてもよい。また、ウォームシャフト１７の第２端部は、第２側カバー８に回転可能に支持されている。ウォームシャフト１７の第２端部は、軸受部材を介して、第２側カバー８に支持されていてもよい。
【００２８】
ウォームシャフト１７の第２端部には、図２及び図３に示すように、第２ギア１５が装着されている。ウォームシャフト１７は、ハンドル３の回転に連動して回転する。詳細には、ハンドル３を回転させると、駆動軸１１及び第１ギア１４を介して、第２ギア１５が回転し、この結果、ウォームシャフト１７が回転する。
【００２９】
案内部材１８は、図３及び図４に示すように、開口部１８ａと、水抜き孔１８ｂと、を有している。案内部材１８は、摺動部材２０をウォームシャフト１７に沿った方向に案内するための部材である。案内部材１８は、円筒状に形成されており、ウォームシャフト１７の外周側に配置されている。案内部材１８は、第１側カバー７と第２側カバー８との間を延びている。案内部材１８の第１端部は、第１側カバー７に回転不能に支持されている。また、案内部材１８の第２端部は第２側カバー８に回転不能に支持されている。
【００３０】
開口部１８ａは、ウォームシャフト１７の長手方向に延びる長孔である。開口部１８ａは、釣竿にリール本体１を装着したとき、釣糸を繰り出す方向に開口している。開口部１８ａからは、ウォームシャフト１７の螺旋状溝１７ａが露出している。
【００３１】
水抜き孔１８ｂは、開口部１８ａと対向する位置に設けられている。詳細には、釣竿をリール本体１に装着した状態で立て掛けたとき（竿先が上方になるように釣竿を置いたとき）、水抜き孔が地面に対して下を向く。これにより、開口部１８ａから水が浸入したときに、水抜き孔１８ｂから水が外部に排出される。また、水抜き孔１８ｂは、案内部材１８のハンドル３に近接する位置に設けられている。これにより、ウォームシャフト１７を伝ってリール本体１内の回転伝達機構４などに水が侵入するのを抑えることができる。
【００３２】
ガイド軸１９は、摺動部材２０をウォームシャフト１７に沿った方向に案内するための部材であり、第１側カバー７と第２側カバー８との間を延びている。
【００３３】
摺動部材２０は、案内部材１８の外周面を摺動しながら、案内部材１８及びガイド軸１９に沿って往復移動する。詳細には、摺動部材２０の中央を軸方向に貫通する第１貫通孔２１を案内部材１８が貫通している。また、第１貫通孔２１に隣接して形成された軸方向に貫通する第２貫通孔２２をガイド軸１９が貫通している。そして、摺動部材２０には、螺旋状溝１７ａに係合する係合部材２３が装着されている。この係合部材２３がウォームシャフト１７の螺旋状溝１７ａに噛み合うことにより、摺動部材２０は、案内部材１８及びガイド軸１９に沿ってハンドル３のスプール２の糸巻き取り方向の回転に同期して往復移動する。
【００３４】
＜変形例＞
図５は、前記実施形態の水抜き孔１８ｂの変形例を示している。水抜き孔１８ｂは、ウォームシャフト１７の長手方向に延びて形成された長孔である。その他の構成は、前記実施形態と同様であるため、説明を省略する。
【００３５】
＜他の実施形態＞
以上、本発明の実施形態について説明したが、本発明はこれらに限定されるものではなく、本発明の趣旨を逸脱しない限りにおいて種々の変更が可能である。
【００３６】
（ａ）前記実施形態の水抜き孔１８ｂの形状は特に限定されるものではない。円形、矩形、又は周方向に延びる長孔でもよい。また、水抜き孔１８ｂを複数設けてもよい。
【００３７】
（ｂ）前記実施形態では、水抜き孔１８ｂは案内部材１８のハンドル３に近接する位置に設けられているが、特にこれに限定されない。水抜き孔１８ｂを案内部材１８の両端に設けてもよいし、任意の場所に複数設けてもよい。
【００３８】
（ｃ）前記実施形態では、水抜き孔１８ｂは開口部１８ａと対向する位置に設けられているが、特にこれに限定されない。例えば、開口部１８ａの位置に関係なく、釣竿をリール本体１に装着した状態で立て掛けたとき（竿先が上方になるように釣竿を置いたとき）、水抜き孔１８ｂがリール本体１の後方側（釣糸を繰り出す方向とは逆の方向）に位置するように水抜き孔１８ｂを設けてもよい。また、水抜き孔１８ｂを案内部材１８の周方向の異なる位置に複数設けてもよい。
【００３９】
（ｄ）前記実施形態では、円筒状の案内部材１８にウォームシャフト１７の長手方向に延びる長孔の開口部１８ａを形成していたが、板状の案内部材を断面が欠円状になるように曲げ加工して、欠円部を開口部１８ａとして構成してもよい。この場合、ウォームシャフト自体とガイド軸とで摺動部材を案内し、案内部材はウォームシャフトを異物から保護するためのものとして摺動部材と間隔を隔てて配置することも可能である。
【００４０】
（ｅ）前記実施形態において、ウォームシャフト１７の第１及び第２端部が軸受部材を介して第１及び第２側カバー７，８に支持されるとき、円筒状の案内部材１８と軸受部材とを樹脂で一体形成してもよく、軸受部材の支持部を案内部材１８に設けてもよい。
【符号の説明】
【００４１】
１  リール本体
２  スプール
３  ハンドル
５  レベルワインド機構
１７  ウォームシャフト
１７ａ  螺旋状溝
１８  案内部材
１８ａ  開口部
１８ｂ  水抜き孔
２０  摺動部材
１００  両軸受リール